(57)【要約】【課題】利便性に優れた通信端末等を提供する【解決手段】通信端末（２）は、ユーザの健康状態に関する複数の項目の計測結果を各計測機器に対応する複数の一次サーバ（サービスサーバ５Ａ〜５Ｄ）より取得して蓄積する二次サーバ（データ連携サーバ６）から取得する計測結果取得部（４２１）と、前記計測結果取得部が取得した当日の複数の前記計測結果を、それぞれに対して表示領域が画定された画面に同時に表示する計測結果画面表示部（出力制御部４２６）と、を備えている。【選択図】図１
2020046962.tif 000002
【特許請求の範囲】
【請求項１】
ユーザの健康状態に関する複数の項目の計測結果を表示する通信端末であって、
複数の計測機器にて計測された前記複数の項目の前記計測結果が、各計測機器に対応する複数の一次サーバによってそれぞれ取得され、前記複数の項目の前記計測結果を前記複数の一次サーバから取得して蓄積する二次サーバから、前記複数の項目の前記計測結果を取得する計測結果取得部と、
前記計測結果取得部が取得した当日の複数の前記計測結果を、それぞれに対して表示領域が画定された画面に同時に表示する計測結果画面表示部と、を備えている
ことを特徴とする通信端末。
【請求項２】
前記計測結果画面表示部は、前記計測結果を、計測が実行された計測時刻とともに表示する
ことを特徴とする請求項１に記載の通信端末。
【請求項３】
前記計測結果画面表示部は、前記計測結果を、前記計測結果取得部が前記二次サーバから取得した時刻とともに表示する
ことを特徴とする請求項１または２に記載の通信端末。
【請求項４】
前記計測結果画面表示部は、前記複数の項目を、計測済みの項目と未計測の項目とを異なる表示形式で表示する
ことを特徴とする請求項１から３のいずれか１項に記載の通信端末。
【請求項５】
前記計測結果取得部は前記計測結果の履歴をさらに取得するものであり、
取得した前記履歴について、計測日ごとにカレンダ状に表示するカレンダ画面表示部を、さらに備えている
ことを特徴とする請求項１から４のいずれか１項に記載の通信端末。
【請求項６】
前記カレンダ画面表示部は、個々の前記計測日について前記当日の前記計測結果と同様の表示形式で表示する
ことを特徴とする請求項５に記載の通信端末。
【請求項７】
前記カレンダ画面表示部は、個々の前記計測日について前記複数の項目のすべてが計測済みである日と未計測の項目が存在する日とを異なる表示形式で表示する
ことを特徴とする請求項５または６に記載の通信端末。
【請求項８】
前記複数の項目について、計測に適したタイミングを設定するタイミング設定部と、
前記タイミングでユーザに計測を促す通知を行う出力制御部と、をさらに備えている
ことを特徴とする請求項１から７のいずれか１項に記載の通信端末。
【請求項９】
前記タイミング設定部は、前記計測結果の履歴における複数の計測時刻の平均値を前記タイミングとして設定する
ことを特徴とする請求項８に記載の通信端末。
【請求項１０】
前記複数の項目の前記計測結果は、前記ユーザの起床時刻を少なくとも含んでおり、
前記タイミング設定部は、前記起床時刻から所定時間が経過した後の時刻を前記タイミングとして設定する
ことを特徴とする請求項８に記載の通信端末。
【請求項１１】
当日の前記計測結果を前記複数の前記一次サーバから取得して蓄積するよう前記二次サーバに更新指示を送信する更新指示部をさらに備えており、
前記更新指示部の指示に基づいて前記二次サーバが当日の前記計測結果を更新した後、前記計測結果取得部が該二次サーバから取得した更新後の前記計測結果に未計測の項目があった場合、前記出力制御部はユーザに未計測の項目について計測を促す通知を行う
ことを特徴とする請求項８から１０のいずれか１項に記載の通信端末。
【請求項１２】
ユーザの健康状態に関する複数の項目の計測結果を通信端末に表示させるサーバであって、
複数の計測機器にて計測された前記複数の項目の前記計測結果が、各計測機器に対応する複数の一次サーバによってそれぞれ取得され、前記複数の項目の前記計測結果を前記複数の一次サーバから取得して蓄積する二次サーバから、前記複数の項目の前記計測結果を取得する計測結果取得部と、
前記計測結果取得部が取得した当日の複数の前記計測結果を、それぞれに対して表示領域が画定された、前記通信端末の画面に同時に表示させる計測結果画面表示部と、を備えている
ことを特徴とするサーバ。
【請求項１３】
前記二次サーバとして前記複数の項目の前記計測結果を前記複数の一次サーバから取得して蓄積する
ことを特徴とする請求項１２に記載のサーバ。
【請求項１４】
請求項１から１１のいずれか１項に記載の通信端末と、
複数の計測機器と、
各計測機器に対応する複数の一次サーバと、
二次サーバと、を備えている、
ことを特徴とする計測データ可視化システム。
【請求項１５】
請求項１から１１のいずれか１項に記載の通信端末としてコンピュータを機能させるためのプログラムであって、前記各部としてコンピュータを機能させるためのプログラム。
【発明の詳細な説明】
【技術分野】
【０００１】
本発明は計測機器による計測結果を取得して表示する通信端末等に関する。
【背景技術】
【０００２】
計測機器による計測結果を取得して表示する通信端末が従来技術として知られている。例えば、特許文献１にはヘルパーが介護時に測定した体温、血圧等のバイタルデータをＷｅｂサーバから取得して表示する家族端末が開示されている。
【先行技術文献】
【特許文献】
【０００３】
【特許文献１】特開２０１８−９２４９３号公報（２０１８年６月１４日公開）
【発明の概要】
【発明が解決しようとする課題】
【０００４】
しかしながら、前述のような従来技術は管理元が異なる複数の計測機器による複数の計測結果について、一度に表示することができないという問題がある。そのため、例えばある管理元が提供する計測機器による計測結果について、別の管理元が提供する別の計測機器による計測に利用することができなかった。
【０００５】
本発明の一態様は、前記の問題に鑑みてなされたものであり、利便性に優れた通信端末等を提供することを目的とする。
【課題を解決するための手段】
【０００６】
前記の課題を解決するために、本発明の一態様に係る通信端末は、ユーザの健康状態に関する複数の項目の計測結果を表示する通信端末であって、複数の計測機器にて計測された前記複数の項目の前記計測結果が、各計測機器に対応する複数の一次サーバによってそれぞれ取得され、前記複数の項目の前記計測結果を前記複数の一次サーバから取得して蓄積する二次サーバから、前記複数の項目の前記計測結果を取得する計測結果取得部と、前記計測結果取得部が取得した当日の複数の前記計測結果を、それぞれに対して表示領域が画定された画面に同時に表示する計測結果画面表示部と、を備えている構成である。
【０００７】
本発明の一態様に係るサーバは、ユーザの健康状態に関する複数の項目の計測結果を通信端末に表示させるサーバであって、複数の計測機器にて計測された前記複数の項目の前記計測結果が、各計測機器に対応する複数の一次サーバによってそれぞれ取得され、前記複数の項目の前記計測結果を前記複数の一次サーバから取得して蓄積する二次サーバから、前記複数の項目の前記計測結果を取得する計測結果取得部と、前記計測結果取得部が取得した当日の複数の前記計測結果を、それぞれに対して表示領域が画定された前記通信端末の画面に同時に表示させる計測結果画面表示部と、を備えている構成である。
【発明の効果】
【０００８】
本発明の一態様によれば、利便性に優れた通信端末等を提供することができる。
【図面の簡単な説明】
【０００９】
【図１】本発明の実施形態１に係る集約データ可視化システムの要部構成の一例を示すブロック図である。
【図２】本発明の実施形態１に係る集約データ可視化システムの全体構成を示す模式図である。
【図３】本発明の実施形態１に係る通信端末における主要な画面の表示例であり、（ａ）は計測結果画面においてどの項目も未計測である状態を示し、（ｂ）は計測結果画面においてすべての項目が計測済みである状態を示し、（ｃ）は計測履歴（カレンダ）画面の表示例を示す。
【図４】本発明の実施形態１に係る通信端末における画面遷移の一例を示す模式図である。
【図５】本発明の実施形態１に係るデータ連携サーバにて保持するアカウント連携テーブルの一例を示す模式図である。
【図６】本発明の実施形態１に係るサービスサーバに蓄積される計測結果の一例を示す模式図であり、（ａ）は血圧計による計測結果および体組成計による計測結果を蓄積する計測結果テーブルの一例を示し、（ｂ）は歩数計による計測結果を蓄積する計測結果テーブルの一例を示し、（ｃ）は睡眠センサによる計測結果を蓄積する計測結果テーブルの一例を示す。
【図７】本発明の実施形態１に係るデータ連携サーバが各サービスサーバから計測結果を集約して保持する計測結果集約テーブルの一例を示す模式図である。
【図８】本発明の実施形態１に係る通信端末が実行する計測データ可視化処理の流れの一例を示すフローチャートである。
【図９】本発明の実施形態１に係る通信端末が実行する計測タイミング通知処理の流れの一例を示すフローチャートである。
【図１０】本発明の実施形態１に係る通信端末においてサービスからの通知例を示す模式図であり、（ａ）はスプラッシュ画面にて通知する画面例を示し、（ｂ）はポップアップ通知画面にて通知する画面例を示す。
【図１１】本発明の実施形態２に係る集約データ可視化システムの要部構成の一例を示すブロック図である。
【図１２】通信端末として利用可能なコンピュータの構成を例示したブロック図である。
【発明を実施するための形態】
【００１０】
〔実施形態１〕
以下、本発明の一実施形態について、図１〜図１０を用いて詳細に説明する。
【００１１】
（計測データ可視化システムの概要）
本実施形態に係る計測データ可視化システム１００の概要について、図２を用いて説明する。図２は、計測データ可視化システム１００の全体構成を示す模式図である。
【００１２】
計測データ可視化システム１００は、複数の計測機器１Ａ〜１Ｄ、通信端末２、ゲートウェイ３、ルータ４、複数のサービスサーバ５Ａ〜５Ｄ、およびデータ連携サーバ６を備えている。なお、ゲートウェイ３およびルータ４は計測機器１Ｃおよび１Ｄの種類によっては省略されてもよい。
【００１３】
計測データ可視化システム１００は、通信端末２のユーザが、管理元が異なる複数の計測機器１Ａ〜１Ｄを用いて自身の健康状態に関する複数の項目について計測して得た複数の計測結果について、該通信端末２の画面上に集約して一度に表示するシステムである。複数の計測機器１Ａ〜１Ｄは管理元が異なるので、個々の機器による計測結果は、各計測機器に対応する複数の一次サーバであるサービスサーバ５Ａ〜５Ｄによってそれぞれ取得され、分散して蓄積される。サービスサーバ５Ａ〜５Ｄは、例えば計測機器の管理元（例えば機器メーカー）によって運用される。
【００１４】
以下の説明では、計測機器１Ａによる計測結果はサービスサーバ５Ａに蓄積され、計測機器１Ｂによる計測結果はサービスサーバ５Ｂに蓄積されるものとする。同様に、計測機器１Ｃによる計測結果はサービスサーバ５Ｃに蓄積され、計測機器１Ｄによる計測結果はサービスサーバ５Ｄに蓄積される。サービスサーバ５Ａ〜５Ｄに分散して蓄積された、複数の項目に関する計測結果は、二次サーバであるデータ連携サーバ６によって取得され、該データ連携サーバ６の図示しない記憶部の内部に蓄積される。
【００１５】
通信端末２は、データ連携サーバ６と通信可能な端末であり、例えばスマートフォンである。通信端末２は、データ連携サーバ６から計測機器１Ａ〜１Ｄによる複数の項目のそれぞれに対する計測結果を集約したデータを取得し、項目ごとに表示領域が画定された画面上に、当日の計測結果を集約して一度に表示することができる。このとき、通信端末２が表示する画面は、項目ごとの計測時刻を含んでもよいし、データ連携サーバ６から取得した時刻を含んでもよい。
【００１６】
通信端末２は、データ連携サーバ６から計測結果の履歴をさらに取得し、取得した該履歴について、画面に、計測日ごとにカレンダ状に表示することができる。このとき、通信端末２は計測日ごとに、当日の計測結果を表示する場合と同様にして項目ごとに表示領域が画定された画面を表示することができる。さらに通信端末２は履歴をカレンダ状に表示する際、計測機器１Ａ〜１Ｄによって計測され得る複数の項目のすべてが計測済みである計測日については未計測の項目が存在する計測日とは異なる表示形式で表示してもよい。
【００１７】
通信端末２は、計測機器１Ａ〜１Ｄによって計測される複数の項目について、計測に適したタイミングを設定し、設定したタイミングでユーザに計測を促す通知を行ってもよい。なお、計測に適したタイミングはどのようなものであってもよく、例えば計測結果の履歴における複数の計測時刻の平均値が設定されてもよい。計測機器１Ａ〜１Ｄの中に睡眠センサや人感センサといった、ユーザが起床したことを検出することが可能なセンサが少なくとも含まれていれば、該センサが検出したユーザの起床時刻から所定時間が経過した後の時刻が設定されてもよい。通信端末２は、例えば起床時刻から１時間後に血圧を計測するよう、通知を行ってもよい。
【００１８】
図示の例において、計測機器１Ａおよび１Ｂによる計測結果は、通信端末２を介してサービスサーバ５Ａおよび５Ｂに送信され、蓄積される。計測機器１Ｃの計測結果はルータ４を介してサービスサーバ５Ｃに送信され、蓄積される。そして、計測機器１Ｄの計測結果はゲートウェイ３およびルータ４を介してサービスサーバ５Ｄに送信され、蓄積される。
【００１９】
サービスサーバ５Ａ〜５Ｄに分散して蓄積された複数の計測結果は、データ連携サーバ６に集約された後、通信端末２を用いて確認することが可能となる。通信端末２は集約済みの計測結果について、必要に応じて該通信端末２へ送信されたものを提示してもよく、あるいは、データ連携サーバ６上の計測結果について、Ｗｅｂブラウザや専用のアプリケーション等を用いて都度アクセスして取得したものを提示してもよい。
【００２０】
なお、データ連携サーバ６の管理元はサービスサーバ５Ａ〜５Ｄの管理元のいずれかと同一であってもよいし、別であってもよい。通信端末２は、データ連携サーバ６から取得した複数の項目に関する複数の計測結果について、画面上に集約して一度に表示することができる。通信端末２のユーザは、複数の項目の計測結果を一度に確認することにより、例えば運動や計測等に対するモチベーションを獲得することができる。
【００２１】
なお、図示の例では計測機器１Ａ〜１Ｄのそれぞれがサービスサーバ５Ａ〜５Ｄのそれぞれに対応していたが、例えば１つのサービスサーバが複数の計測機器に共通する管理元であってもよい。また、計測機器はサービスサーバに計測結果を送信できればよく、送信経路は図示の例に限らない。
【００２２】
（計測データ可視化システムの構成）
本実施形態１に係る計測データ可視化システム１００の構成について、図１を用いて説明する。図１は、計測データ可視化システム１００の要部構成の一例を示すブロック図である。
【００２３】
計測機器１Ａ〜１Ｄは、通信端末２のユーザの健康状態に関する項目について計測を行い、計測結果を蓄積する機器である。計測機器１Ａ〜１Ｄは、例えばユーザの体重等を計測する体組成計、血圧を計測する血圧計、一日の歩数を計測する歩数計、睡眠時間や呼吸数、心拍数等を計測する睡眠センサ等であってもよい。計測機器１Ａ〜１Ｄはさらに、周辺環境の温度や湿度を計測する温湿度センサ、活動状況を動きから検出する人感センサ、活動状況を室内の明るさから検出する照度センサといった、ユーザに間接的に影響する項目について計測を行う機器であってもよい。計測機器１Ａ〜１Ｄは、ユーザが衣服等に固定して計測を行うウェアラブル型の機器であってもよいし、据え置き型の機器であってもよい。
【００２４】
計測機器１Ａ〜１Ｄは、個々の機器の管理元の管理するサービスサーバ５Ａ〜５Ｄに対して計測結果を送信することができる。計測結果の送信時に計測機器１Ａ〜１Ｄが用いる通信経路は、個々の機器がサポートしている通信規格等に基づいて決定される。図示の例では、計測機器１Ａおよび１Ｂにおける計測結果は、例えば通信端末２が後述する結果送信アプリ３１Ａおよび３１Ｂに基づく結果送信制御部４１Ａおよび４１Ｂからの指示にしたがって該通信端末２に、Ｂｌｕｅｔｏｏｔｈ（登録商標）等の無線通信によって送信される。計測結果はその後、通信端末２からサービスサーバ５Ａおよび５Ｂに改めて送信される。
【００２５】
一方、計測機器１Ｃおよび１Ｄは、サービスサーバ５Ｃおよび５Ｄから計測結果の送信指示を、ゲートウェイ３およびルータ４を介して直接受信する。計測機器１Ｃは例えばＷｉ−Ｆｉ（登録商標）のような無線通信規格によってルータ４と通信可能であり、送信指示にしたがって計測結果を、ルータ４を介してサービスサーバ５Ｃに直接送信する。計測機器１Ｄは、例えばＺ−ｗａｖｅ（登録商標）のような近距離向けの無線通信規格のみをサポートしており、Ｚ−ｗａｖｅおよびＷｉ−Ｆｉの両方をサポートするゲートウェイ３、およびＷｉ−Ｆｉをサポートするルータ４を介してサービスサーバ５Ｄに計測結果を送信できる。計測結果の送信は、計測機器１Ｄが自発的に行ってもよく、あるいは、ゲートウェイ３等からの指示にしたがって行われてもよい。計測機器１Ｄは、例えば該計測機器１Ｄを用いた計測が行われたことを検出した都度、計測結果を送信してもよいし、定期的に（例えば１分間隔で）計測結果を送信してもよい。
【００２６】
ゲートウェイ３は、計測機器１Ｄとルータ４との間の通信を仲介するゲートウェイである。ゲートウェイ３は、例えば複数の異なる通信規格をサポートしており、計測機器１Ｄとの間の通信と、ルータ４との間の通信とで異なる通信規格を用いることができる。
【００２７】
ルータ４は、一般的なルータであり、インターネット等のクラウドネットワークに接続する機能を有する。
【００２８】
サービスサーバ５Ａ〜５Ｄは、計測機器１Ａ〜１Ｄの管理元が管理しているサーバである。サービスサーバ５Ａ〜５Ｄは、計測機器１Ａ〜１Ｄが計測した計測結果を取得および蓄積し、蓄積している計測結果をデータ連携サーバ６へ送信する。計測結果の送信は、サービスサーバ５Ａ〜５Ｄが自発的に行ってもよく、データ連携サーバ６からの指示にしたがって行われてもよい。サービスサーバ５Ａ〜５Ｄは、例えば該計測機器１Ａ〜１Ｄから取得した計測結果の中にデータ連携サーバ６へ未送信のものがあった場合のみ計測結果を送信してもよいし、定期的に（例えば１分間隔で）計測結果を送信してもよい。サービスサーバ５Ａ〜５Ｄは計測結果について、例えば図示しない計測結果テーブル５１〜５３に蓄積する。計測結果テーブル５１〜５３の具体例については、図６の各図を用いて後述する。
【００２９】
データ連携サーバ６は、後述する通信部２１を介して通信端末２と通信するサーバである。データ連携サーバ６は、管理元が異なるサービスサーバ５Ａ〜５Ｄのそれぞれに蓄積された、計測機器１Ａ〜１Ｄによって計測された計測結果を取得する。
【００３０】
データ連携サーバ６は、サービスサーバ５Ａ〜５Ｄのそれぞれから取得した計測結果をユーザごとに紐付けて保持する。ユーザごとに計測結果を紐付けるために、データ連携サーバ６は例えば該データ連携サーバ６における通信端末２のユーザのアカウントをサービスサーバ５Ａ〜５Ｄのそれぞれにおけるアカウントと紐付けて保持する。データ連携サーバ６は、アカウントの紐付けに関する情報を、例えば図示しないアカウント連携テーブル６１として保持する。アカウント連携テーブル６１の具体例については、図５を用いて後述する。
【００３１】
データ連携サーバ６は、サービスサーバ５Ａ〜５Ｄのそれぞれから取得した計測結果について、例えば図示しない計測結果集約テーブル６２に集約して保持する。計測結果集約テーブル６２の具体例については、図７を用いて後述する。
【００３２】
（通信端末の構成）
通信端末２は、通信部２１、入力部２２、表示部２３、スピーカ２４、記憶部３０、および制御部４０を備えており、記憶部３０は結果送信アプリ３１Ａおよび３１Ｂ、および集約データ可視化アプリ３２を備えている。制御部４０は、結果送信制御部４１Ａおよび４１Ｂ、および集約データ可視化制御部４２を備えている。集約データ可視化制御部４２は、計測結果取得部４２１、計測結果画面生成部４２２、カレンダ画面生成部４２３、タイミング設定部４２４、通知画面生成部４２５、出力制御部４２６、および更新指示部４２７を備えている。なお、図１において通信端末２の制御部４０が備える各種機能ブロックについて、通信端末２以外の装置で実行可能であるように構成されてもよいことは言うまでもない。
【００３３】
通信部２１は、外部の通信機器と制御部４０との間で各種データを送受信する。入力部２２は通信端末２に対するユーザの各種操作を受け付けるものであり、例えば表示部２３と一体に形成されたタッチパネルである。表示部２３は、出力制御部４２６の指示にしたがって結果送信アプリ３１Ａおよび３１Ｂ、および集約データ可視化アプリ３２に関する各種画面を表示するものであり、例えば液晶ディスプレイである。スピーカ２４は出力制御部４２６の指示にしたがって音声データを再生する。
【００３４】
記憶部３０は、通信端末２にて扱われる各種データを記憶している。結果送信アプリ３１Ａおよび３２Ｂは、通信端末２が計測機器１Ａおよび１Ｂから計測結果を取得し、サービスサーバ５Ａおよび５Ｂに取得した計測結果を送信するために必要な処理が記述されたプログラムである。以下の説明では、計測機器１Ａから計測結果を取得してサービスサーバ５Ａに該計測結果を送信するために必要な処理は結果送信アプリ３１Ａに記述されており、計測機器１Ｂから計測結果を取得してサービスサーバ５Ｂに該計測結果を送信するために必要な処理は結果送信アプリ３１Ｂに記述されているものとする。結果送信アプリ３１Ａは制御部４０によって読み出され、記述内容にしたがって制御部４０は結果送信制御部４１Ａを動作させることができる。同様に、結果送信アプリ３２Ｂは制御部４０によって読み出され、記述内容にしたがって制御部４０は結果送信制御部４１Ｂを動作させることができる。
【００３５】
集約データ可視化アプリ３２は、通信端末２がデータ連携サーバ６から集約された計測結果を取得し、取得した計測結果を集約して一度に表示するために必要な処理等が記述されたプログラムである。集約データ可視化アプリ３２は、制御部４０によって読み出され、記述内容にしたがって制御部４０は集約データ可視化制御部４２を動作させることができる。
【００３６】
制御部４０は、通信端末２の各部を統括して制御する。結果送信制御部４１Ａおよび４１Ｂは、入力部２２に対するユーザの入力にしたがって計測機器１Ａおよび１Ｂから計測結果を取得し、サービスサーバ５Ａおよび５Ｂに取得した計測結果を送信する。図示の例では、結果送信制御部４１Ａが計測機器１Ａから計測結果を取得し、サービスサーバ５Ａに該計測結果を送信するように動作し、結果送信制御部４１Ｂが計測機器１Ｂから計測結果を取得し、サービスサーバ５Ｂに該計測結果を送信するように動作する。
【００３７】
集約データ可視化制御部４２は、入力部２２に対するユーザの入力にしたがってデータ連携サーバ６に集約された計測結果の取得や、取得した計測結果の表示等を実行するよう計測結果取得部４２１等を制御する。
【００３８】
計測結果取得部４２１は、集約データ可視化制御部４２からの指示にしたがって、複数の項目の計測結果について通信部２１を介して外部のデータ連携サーバ６から取得する。計測結果取得部４２１は、集約データ可視化制御部４２からの指示に応じて指定された期間の計測結果を取得することができる。計測結果取得部４２１は、取得対象である計測結果のすべてを都度取得してもよいし、過去に取得した計測結果を記憶部３０に保持しておき、過去の取得結果との差分のみを取得してもよい。計測結果取得部４２１は、当日の計測結果を取得した場合は該計測結果を計測結果画面生成部４２２へ送信し、計測結果の履歴を取得した場合は該履歴をカレンダ画面生成部４２３へ送信する。計測結果取得部４２１は、取得した情報をタイミング設定部４２４に送信してもよい。
【００３９】
計測結果画面生成部４２２は、計測結果取得部４２１から受信した当日の計測結果を用いて、計測結果画面２３０Ａおよび２３０Ｂの画面データを生成し、出力制御部４２６に送信する。計測結果画面２３０Ａおよび２３０Ｂは、計測結果取得部４２１がデータ連携サーバ６から取得した当日の複数の計測結果を、それぞれに対して表示領域が画定された画面に同時に表示する画面である。計測結果画面２３０Ａおよび２３０Ｂの具体例については、図３の（ａ）および（ｂ）を用いて後述する。
【００４０】
カレンダ画面生成部４２３は、計測結果取得部４２１から受信した計測結果の履歴を用いて、計測履歴（カレンダ）画面２５０、２５０Ａ、および２５０Ｂの画面データを生成し、出力制御部４２６に送信する。計測履歴（カレンダ）画面２５０、２５０Ａ、および２５０Ｂの具体例については、図３の（ｃ）および図４を用いて後述する。カレンダ画面生成部４２３はさらに、計測結果の履歴を用いて計測履歴（一日）画面２７０の画面データを生成し、出力制御部４２６に送信する。計測履歴（一日）画面２７０の具体例については図４を用いて後述する。
【００４１】
タイミング設定部４２４は、計測機器１Ａ〜１Ｄを用いて計測可能な複数の項目について、項目ごとに計測に適したタイミングを設定する。タイミング設定部４２４は、例えば計測結果取得部４２１から計測結果の履歴を受信すると、該履歴における複数の計測時刻の平均値を計測に適したタイミングとして設定してもよい。もしくは、タイミング設定部４２４は、計測結果の履歴にユーザの起床時刻が含まれる場合、該起床時刻から所定時間が経過した後の時刻を計測に適したタイミングとして設定してもよい。タイミング設定部４２４は、設定したタイミングに関する情報を通知画面生成部４２５に送信する。
【００４２】
通知画面生成部４２５は、ユーザに通知すべき情報がある場合にスプラッシュ画面２２０および２２０Ａや、ポップアップ通知画面２８０および２８０Ａを生成して出力制御部４２６に送信する。スプラッシュ画面２２０および２２０Ａは、通信端末２がスリープ状態から復帰する際に一時的に表示される画面であり、ポップアップ通知画面２８０および２８０Ａは、適切なタイミングに、その時点で表示中の画面に重畳表示される画面である。スプラッシュ画面２２０および２２０Ａや、ポップアップ通知画面２８０および２８０Ａの具体例については、図４および図１０を用いて後述する。
【００４３】
スプラッシュ画面２２０および２２０Ａや、ポップアップ通知画面２８０および２８０Ａは、例えばユーザに計測機器１Ａ〜１Ｄを用いた計測を促すものであってもよいし、室温を適温に調節するためにエアコンの使用を促すものであってもよい。さらに、データ連携サーバ６と接続されている、サービスサーバ５Ａ〜５Ｄを含む外部のサーバからのお知らせを含むものであってもよい。
【００４４】
出力制御部４２６は、計測結果画面生成部４２２が生成した計測結果画面２３０Ａおよび２３０Ｂの画面データを表示部２３に表示する計測結果画面表示部として機能することができる。出力制御部４２６は、カレンダ画面生成部４２３が生成した計測履歴（カレンダ）画面２５０、２５０Ａ、および２５０Ｂの画面データを表示部２３に表示するカレンダ画面表示部として機能してもよい。
【００４５】
出力制御部４２６は、通知画面生成部４２５が生成したスプラッシュ画面２２０および２２０Ａや、ポップアップ通知画面２８０および２８０Ａの画面データを計測に適したタイミングで表示部２３に表示してユーザに計測を促す通知を行ってもよい。出力制御部４２６は、表示部２３に表示する画面データに応じた音声データについて、スピーカ２４から再生してもよい。ここで、音声データは画面データの内容に応じたものであればどのようなものであってもよい。音声データは、例えば記憶部３０に予め記憶されたテンプレート文を読み上げるものであってもよいし、画面データの内容をテキストデータから音声データに変換したものであってもよいし、アラーム音であってもよい。ここで、音声データへの変換は、例えばＴＴＳ（Text To Speech）プログラムによるものであってもよい。
【００４６】
更新指示部４２７は、集約データ可視化制御部４２からの指示にしたがって、当日の計測結果をサービスサーバ５Ａ〜５Ｄから取得して蓄積するようデータ連携サーバ６に更新指示を送信する。換言すれば、更新指示部４２７は計測結果集約テーブル６２を更新するよう、データ連携サーバ６に指示する。集約データ可視化制御部４２が更新指示部４２７に指示するタイミングは、例えばサービスサーバ５Ａ〜５Ｄにおいて予め定められたタイミングや通信端末２のユーザの利用状況に応じたタイミングであってもよい。さらに、アプリケーションの起動中にユーザが入力部２２を通じて表示内容を更新させたタイミング等であってもよい。
【００４７】
（計測結果を集約する流れについて）
計測機器１Ａ〜１Ｄによって新たに計測された計測結果について、データ連携サーバ６に集約されるまでの流れについて、以下に概要を説明する。
【００４８】
計測機器１Ａ〜１Ｄによって新たに計測された計測結果は、機器に応じた通信経路を通じてサービスサーバ５Ａ〜５Ｄに送信され、計測結果テーブル５１〜５３に蓄積される。図示の例によれば、計測機器１Ａによる計測結果は結果送信制御部４１Ａによって取得され、サービスサーバ５Ａへ送信される。同様に、計測結果１Ｂによる計測結果は結果送信制御部４１Ｂによって取得され、サービスサーバ５Ｂへ送信される。計測結果の取得およびサービスサーバ５Ａおよび５Ｂへの送信について、結果送信制御部４１Ａおよび４１Ｂは、更新指示部４２７の指示に基づいて実行してもよいし、一定間隔ごとに自動的に実行してもよい。
【００４９】
計測機器１Ｃによる計測結果は、一定間隔ごとに該計測機器１Ｃからサービスサーバ５Ｃへ自動的に送信される。同様に、計測機器１Ｄによる計測結果は、一定間隔ごとに該計測機器１Ｄからサービスサーバ５Ｄへ自動的に送信される。計測結果の送信は、一定時間の経過によるものであってもよいし、サービスサーバ５Ｃおよび５Ｄに対して未送信である計測結果のレコード数が所定の閾値を上回った都度であってもよい。
【００５０】
サービスサーバ５Ａ〜５Ｄは、計測結果テーブル５１〜５３に蓄積している計測結果をデータ連携サーバ６へ送信し、該データ連携サーバ６は受信した計測結果を計測結果集約テーブル６２に集約して蓄積する。サービスサーバ５Ａ〜５Ｄからデータ連携サーバ６への計測結果の送信は、サービスサーバ５Ａ〜５Ｄのそれぞれが一定間隔ごとに自動的に実行するものであってもよいし、データ連携サーバ６が一定間隔ごとに自動的に実行するものであってもよい。また、送信される計測結果は、計測結果テーブル５１〜５３に蓄積されている計測結果の全量であってもよいし、未送信の計測結果のみであってもよい。
【００５１】
データ連携サーバ６は、更新指示部４２７から更新指示を受信すると、サービスサーバ５Ａ〜５Ｄが保持する計測結果テーブル５１〜５３から計測結果を取得し、取得した内容を用いて計測結果集約テーブル６２を更新する。
【００５２】
更新指示部４２７は、データ連携サーバ６に送信した更新指示に基づいて該データ連携サーバ６が計測結果集約テーブル６２を更新した後、計測結果取得部４２１に対して更新後の計測結果を取得するよう指示してもよい。すなわち、集約データ可視化制御部４２は、データ連携サーバ６に計測結果の更新を指示した後、更新された計測結果を取得して画面データを生成および表示してもよい。
【００５３】
（通信端末の主要な画面の表示例）
本実施形態に係る通信端末２における主要な画面の表示例について、図３を用いて説明する。図３は通信端末２における主要な画面の表示例であり、図３の（ａ）はどの項目も未計測である計測結果画面２３０Ａを示す。図３の（ｂ）はすべての項目が計測済みである計測結果画面２３０Ｂを示し、図３の（ｃ）は計測履歴（カレンダ）画面を示す。
【００５４】
図３の（ａ）は、計測結果取得部４２１がデータ連携サーバ６から取得した当日の計測結果において、どの項目も未計測であった場合に計測結果画面生成部４２２が生成した計測結果画面２３０Ａの表示例である。図示の例において、計測結果画面２３０Ａは画面上部に「メニュー」タブ２３１、「今日」タブ２３２、「カレンダ」タブ２３３が並んで表示されており、これらの下には日時欄２３４が設けられており、現在の日時情報が表示されている。計測結果画面２３０Ａは「今日」タブ２３２に属しており、計測結果画面２３０Ａの表示中はつねに「今日」タブ２３２が有効となっている。
【００５５】
なお、「メニュー」タブ２３１を操作すると図示しないメニュー画面がポップアップ表示され、「カレンダ」タブ２３３を操作すると「カレンダ」タブ２３３が有効となり、図３の（ｃ）に示す計測履歴（カレンダ）画面２５０に表示が切り替わる。
【００５６】
画面の中央下部には、データ連携サーバ６に集約して保持されていた、計測機器１Ａ〜１Ｄによって計測された計測結果を一度に表示する表示領域である計測結果領域２３５Ａ〜２３５Ｄが表示されている。図示の例において、計測結果領域２３５Ａは血圧の計測結果を表示する領域であり、計測結果領域２３５Ｂはユーザのその日のこれまでの歩数を表示する領域である。計測結果領域２３５Ｃは体重の計測結果を表示する領域であり、計測結果領域２３５Ｄはユーザのその日の朝までの睡眠時間を表示する領域である。計測結果領域２３５Ａ〜２３５Ｄの近傍には、血圧、体重、歩数、および睡眠といった、個々の領域に表示される情報の名称とともに、該情報の計測時刻が示される。
【００５７】
計測結果画面２３０Ａにおいて、計測結果領域２３５Ａ〜２３５Ｄのいずれにも計測結果は示されておらず、白抜きされた各領域には計測項目の概要を示すアイコンのみが示されている。ユーザは計測結果画面２３０Ａを見ることにより、未計測の項目について把握することができる。
【００５８】
画面の中央最下部には、表示中の計測結果の内容を更新するための「数値の更新」ボタン２３６が設けられている。ユーザが「数値の更新」ボタン２３６を操作すると、最新の計測結果を取得して表示内容を更新するよう、処理が実行される。ユーザは、例えば通信端末２に計測結果画面２３０Ａを表示させた後に計測機器１Ａ〜１Ｄを用いて計測を行ってから「数値の更新」ボタン２３６を操作することで、すべての項目が計測済みである計測結果画面２３０Ｂに表示内容を更新することができる。
【００５９】
図３の（ｂ）は、計測結果取得部４２１がデータ連携サーバ６から取得した当日の計測結果において、すべての項目が計測済みであった場合に計測結果画面生成部４２２が生成した計測結果画面２３０Ｂの表示例である。計測結果画面２３０Ｂの基本的な構成は図３の（ａ）に示した計測結果画面２３０Ａと同一であるが、計測結果領域２３５Ａ〜２３５Ｄのそれぞれは互いに異なる色で領域内が色付けされており、さらに白抜きで計測結果が表示されている点が異なっている。図示の例において、計測結果領域２３５Ａに表示されている血圧の計測結果には、計測時刻が夜間であったことを示す三日月のアイコンが一緒に表示されている。図示しないが、計測時刻が昼間である場合には太陽のアイコンを一緒に表示することにより、計測時刻を容易に把握できるようにしてもよい。同様の表示が計測結果領域２３５Ｂ〜２３５Ｄについて行われてもよい。より具体的には、計測結果画面２３０Ｂにおいて計測結果は、計測が実行された時間帯を示すアイコンとともに表示されてもよい。
【００６０】
なお、一部の項目のみ計測済みであった場合は計測結果画面２３０Ａの計測結果領域２３５Ａ〜２３５Ｄのうち、計測済みの項目に対応する領域のみ、計測結果画面２３０Ｂと同様の表示形式で表示される。このとき、計測結果画面２３０Ａまたは２３０Ｂにおいて計測結果領域２３５Ａ〜２３５Ｄのそれぞれに表示される複数の項目は、計測済みの項目と未計測の項目とが異なる表示形式で表示されてもよい。
【００６１】
図３の（ｃ）は、計測結果取得部４２１がデータ連携サーバ６から取得した計測結果の履歴を用いてカレンダ画面生成部４２３が生成した、計測履歴（カレンダ）画面２５０の表示例である。計測履歴（カレンダ）画面２５０には、計測結果画面２３０Ａや計測結果画面２３０Ｂと同様に「メニュー」タブ２３１、「今日」タブ２３２、「カレンダ」タブ２３３が並んで表示されている。そして「メニュー」タブ２３１を操作するとメニュー画面がポップアップ表示され、「今日」タブ２３２を操作すると「今日」タブ２３２が有効となり、操作時点の計測状況に応じて計測結果画面２３０Ａや計測結果画面２３０Ｂ等に表示が切り替わる。
【００６２】
計測履歴（カレンダ）画面２５０は、計測結果の履歴について、計測日ごとにカレンダ状に表示する画面である。図示の例では表示中の履歴の該当月を示す表示とともに１か月分の計測結果の履歴が、１日分の履歴を履歴アイコン２５１として示されている。すなわち履歴アイコン２５１が１か月分、カレンダ状に並べられている。図示の例において計測履歴（カレンダ）画面２５０には、表示中の履歴の該当月を示す表示の左右に表示月を前月や翌月に変更するための表示領域が示されている。これらの表示領域を操作すると、計測履歴（カレンダ）画面２５０に表示される履歴の対象月が変更される。
【００６３】
履歴アイコン２５１は、計測履歴（カレンダ）画面２５０において個々の計測日の計測結果の履歴を示しており、該履歴アイコン２５１は、計測結果画面２３０Ａおよび計測結果画面２３０Ｂにおける当日の計測結果と同様の表示形式で表示されている。すなわち、履歴アイコン２５１は計測結果領域２３５Ａ〜２３５Ｄに相当する４つの表示領域を備えており、未計測の項目については図３の（ａ）で示したように領域が白抜きされ、計測済みの項目については図３の（ｂ）で示したように領域内が色付けされる。
【００６４】
計測履歴（カレンダ）画面２５０において、履歴アイコン２５１は複数の項目のすべてが計測済みである日と未計測の項目が存在する日とが異なる表示形式で表示されてもよい。具体的には、すべての項目が計測済みである計測日の履歴アイコン２５１は、計測結果領域２３５Ａ〜２３５Ｄに相当する４つの表示領域が同一色に色付けされている。このような履歴アイコン２５１を有する計測履歴（カレンダ）画面２５０を表示することにより、例えばすべての項目について連日にわたって計測するようユーザに動機付けすることができる。
【００６５】
計測履歴（カレンダ）画面２５０の下部には、ポイント表示欄２５２が設けられている。ポイント表示欄２５２には、例えば計測状況に応じて累積されたポイントが表示される。ポイントは継続的な計測を行うようユーザに動機付けするものであり、例えばある計測日について、１つの項目を計測すると１ポイントを獲得し、４つの項目すべてについて計測した計測日についてはポイントをさらに獲得する等の処理によって累積されてもよい。さらに、ポイントを通常より多く獲得できるキャンペーン期間等を設定することにより、計測の動機付けを高めるようにしてもよい。累積したポイントは買い物等に利用できてもよいし、他のユーザのポイントと比較できてもよい。
【００６６】
（通信端末の画面遷移例）
本実施形態に係る通信端末２が表示部２３に表示する各種画面の画面遷移例について、図４を用いて説明する。
【００６７】
はじめ、通信端末２はスリープ状態であり、スリープ画面２１０が表示されているものとする。ここで通信端末２が入力部２２にてユーザの入力を受け付けると、スリープ画面２１０から復帰する。具体的にはスリープ画面２１０からスプラッシュ画面２２０を経由して、計測結果画面２３０Ａが表示部２３に表示される。計測結果画面２３０Ａの表示内容は図３の（ａ）で示したものと同様である。
【００６８】
計測結果画面２３０Ａにおいて「カレンダ」タブ２３３を操作すると、計測履歴（カレンダ）画面２５０Ａに表示が切り替わる。計測履歴（カレンダ）画面２５０Ａの表示内容は図３の（ｃ）で示した計測履歴（カレンダ）画面２５０と同様である。すなわち、前月や翌月に表示月を変更する操作が行われると、変更後の表示月の１か月分の履歴をカレンダ状に表示する計測履歴（カレンダ）画面２５０Ｂに表示が切り替わる。
【００６９】
計測履歴（カレンダ）画面２５０Ａおよび２５０Ｂにおいて、カレンダ状に表示されている１か月分の履歴アイコン２５１の中から特定の表示日に相当する履歴アイコン２５１を操作すると、該特定の表示日の計測結果が計測履歴（一日）画面２７０として、計測結果画面２３０Ａ、および２３０Ｂと同様の表示形式で計測履歴（カレンダ）画面２５０Ａおよび２５０Ｂの上に重畳表示される。計測履歴（一日）画面２７０には「閉じる」ボタンが設けられており、「閉じる」ボタンを操作することで計測履歴（一日）画面２７０を閉じることができる。
【００７０】
計測結果画面２３０Ａにおいて、「数値の更新」ボタン２３６を操作すると、更新指示部４２７による更新指示によってデータ連携サーバ６の計測結果集約テーブル６２が更新された後、計測結果取得部４２１によってデータ連携サーバ６から改めて取得された更新後の計測結果に基づいて、計測結果画面２３０Ｂに表示が更新される。
【００７１】
通信端末２は、表示すべきタイミングになると、その時点で表示中の画面の種類や表示の有無に関わらず、ポップアップ通知画面２８０を重畳表示する。ポップアップ通知画面２８０には「閉じる」ボタンが設けられており、「閉じる」ボタンを操作するか、所定の表示期間が経過することによって閉じられる。
【００７２】
（アカウント連携テーブルの構成）
本実施形態に係るデータ連携サーバ６が保持するアカウント連携テーブル６１の構成について、図５を用いて説明する。図５は、アカウント連携テーブル６１の具体例を示す模式図である。
【００７３】
図示の例においてアカウント連携テーブル６１は「ユーザ名」、「データ連携アカウント」、「サービス１アカウント」、「サービス２アカウント」、「サービス３アカウント」、および「サービス４アカウント」の６つの項目を備えている。「ユーザ名」および「データ連携アカウント」は、通信端末２のユーザがデータ連携サーバ６に対する接続情報として登録するものである。「サービス１アカウント」、「サービス２アカウント」、「サービス３アカウント」、および「サービス４アカウント」は、通信端末２のユーザがサービスサーバ５Ａ〜５Ｄのそれぞれに対して計測結果を蓄積するために使用するアカウント名である。
【００７４】
データ連携サーバ６は、通信端末２の更新指示部４２７から計測結果集約テーブル６２の更新指示を受信すると、サービスサーバ５Ａ〜５Ｄの計測結果テーブル５１〜５３から計測結果を取得する。そして取得した計測結果について、アカウント連携テーブル６１における「データ連携アカウント」、「サービス１アカウント」、「サービス２アカウント」、「サービス３アカウント」、および「サービス４アカウント」の紐付け内容に基づいて「データ連携アカウント」ごとに計測結果を集約し、計測結果集約テーブル６２に登録（更新）する。このようにして、データ連携サーバ６はアカウント連携テーブル６１を用いてサービスサーバ５Ａ〜５Ｄから計測結果を取得し、計測結果集約テーブル６２に集約して登録することができる。
【００７５】
（計測結果テーブルの構成）
本実施形態に係るサービスサーバ５Ａ〜５Ｄが保持する計測結果テーブル５１〜５３の構成について、図６の各図を用いて説明する。図６は、計測結果テーブル５１〜５３の具体例を示す模式図であり、図６の（ａ）は血圧計による計測結果および体組成計による計測結果を蓄積する計測結果テーブル５１の一例を示し、図６の（ｂ）は歩数計による計測結果を蓄積する計測結果テーブル５２の一例を示す。図６の（ｃ）は睡眠センサによる計測結果を蓄積する計測結果テーブル５３の一例を示す。なお、計測結果テーブル５１〜５３はあくまでも一例であって、サービスサーバ５Ａ〜５Ｄの台数や計測対象である項目の数等によって変更されることは言うまでもない。
【００７６】
図６の（ａ）は、血圧計による計測結果および体組成計による計測結果を蓄積する計測結果テーブル５１を示している。例えば、計測機器１Ａが血圧計および体組成計である場合、計測結果テーブル５１はサービスサーバ５Ａが保持することができる。より具体的には、血圧計および体組成計の管理元である機器メーカーが同一である場合に、該機器メーカーは１つのサービスサーバ５Ａを用いて血圧計による計測結果および体組成計による計測結果を蓄積することができる。
【００７７】
図示の例において、計測結果テーブル５１は「アカウント」、「計測日時」、「データ種別」、および「計測値」の４つの項目を備えている。「アカウント」は、図５に示したいずれかのユーザの「サービス１アカウント」の項目と同一の値が設定されている。「計測日時」は血圧計または体組成計によって計測が行われた日時を示し、「データ種別」は計測したデータの種類を示している。「計測値」は血圧計または体組成計による計測値を示している。また、計測結果テーブル５１には、計測機器１Ａによる計測結果について、１つの項目に対する１回の計測結果が、１レコードとして記録されている。図示の例において、「データ種別」が「血圧」のレコードには、最高血圧および最低血圧の２つが「計測値」にまとめて設定されている。
【００７８】
図６の（ｂ）は、歩数計による計測結果を蓄積する計測結果テーブル５２を示している。例えば、計測機器１Ｂが歩数計である場合、計測結果テーブル５２はサービスサーバ５Ｂが保持することができる。図示の例において、計測結果テーブル５２は「アカウント」、「計測日時」、および「歩数」の３つの項目を備えている。「アカウント」は、図５に示したいずれかのユーザの「サービス２アカウント」の項目と同一の値が設定されている。「計測日時」は歩数計によって計測が行われた日時を示し、「歩数」は計測した時点における歩数の計測値を示している。すなわち、計測結果テーブル５２には、計測機器１Ｂによる計測結果について、１回の計測結果が１レコードとして記録されている。
【００７９】
図６の（ｃ）は、睡眠センサによる計測結果を蓄積する計測結果テーブル５３を示している。例えば、計測機器１Ｃが睡眠センサである場合、計測結果テーブル５３はサービスサーバ５Ｃが保持することができる。図示の例において、計測結果テーブル５３は「アカウント」、「機器ＩＤ」、「計測日時」、「睡眠時間（分）」、「平均呼吸数」、および「平均心拍数」の６つの項目を備えている。「アカウント」は、図５に示したいずれかのユーザの「サービス３アカウント」の項目と同一の値が設定されている。「機器ＩＤ」は計測に用いた睡眠センサを一意に識別する識別子（ＩＤ）が設定される。「計測日時」は睡眠センサによって計測が行われた日時を示し、「睡眠時間（分）」は、ベッドの下に設置された睡眠センサがユーザの重さを検知していた時間に基づいて算出した該ユーザの睡眠時間である。「平均呼吸数」および「平均心拍数」は、睡眠中のユーザについて、呼吸による体重の変化等から検出した、単位時間あたりの呼吸数や心拍数である。
【００８０】
睡眠センサは、一定間隔ごと（例えば１分ごと）にユーザの重さを検出し、検出結果をサービスサーバ５Ｃへ自動的に送信する。このとき、ユーザが起床中である場合はユーザの重さを０として送信してもよい。そして、サービスサーバ５Ｃでは、睡眠センサから受信した検出結果について、ユーザの重さが０である状態から変化した時刻を就寝時刻、さらに就寝時刻以降に再度０となった時刻を起床時刻とする。サービスサーバ５Ｃは、就寝時刻から起床時刻までの時間を睡眠時間として算出し、計測結果テーブル５３の「睡眠時間（分）」に設定する。このとき、「計測日時」には起床時刻が設定される。
【００８１】
なお、サービスサーバ５Ｄが計測機器１Ｄによる計測結果を蓄積する具体例については図示しないが、例えば計測機器１Ｄが照度センサである場合、図６の（ｃ）と同様の形式で蓄積することができる。
【００８２】
計測結果テーブル５１〜５３には、データ連携サーバ６からの指示に基づいてサービスサーバ５Ａ〜５Ｄが計測機器１Ａ〜１Ｄから取得した計測結果が登録（更新）される。これにより、データ連携サーバ６が保持する計測結果とサービスサーバ５Ａ〜５Ｄが保持する計測結果との間に差分が生じることを抑制できる。
【００８３】
（計測結果集約テーブルの構成）
本実施形態に係るデータ連携サーバ６が保持する計測結果集約テーブル６２の構成について、図７を用いて説明する。図７は、計測結果集約テーブル６２の具体例を示す模式図である。
【００８４】
図示の例において計測結果集約テーブル６２は「データ連携アカウント」、「サービス種別」、「サービスアカウント」、「計測日時」、「データ種別」、および「計測値」の６つの項目を備えている。「データ連携アカウント」は、アカウント連携テーブル６１の同名の項目と同じ値が設定される。「サービス種別」には、サービスサーバ５Ａ〜５Ｄのうち、計測結果の取得元を示す内容が設定される。例えば「サービス種別」が「サービス１」のレコードは、サービスサーバ５Ａから取得した計測結果であることを示す。「サービスアカウント」は、サービスサーバ５Ａ〜５Ｄのうち、「サービス種別」に示された取得元への接続に用いられたアカウントを示す。例えば「サービス種別」が「サービス１」のレコードの「サービスアカウント」には、アカウント連携テーブル６１のいずれかのユーザの「サービス１アカウント」と同じ値が設定される。
【００８５】
「計測日時」は計測機器１Ａ〜１Ｄによって計測が行われた日時を示し、「データ種別」は計測したデータの種類を示している。「データ種別」には、例えば図６の（ｂ）に示した計測結果テーブル５２の「歩数」のような項目名が設定されてもよい。「計測値」は計測機器１Ａ〜１Ｄによる計測値を示している。
【００８６】
データ連携サーバ６は、アカウント連携テーブル６１のレコードを用いてサービスサーバ５Ａ〜５Ｄの計測結果テーブル５１〜５３から計測結果を取得して、計測結果集約テーブル６２に集約して蓄積する。具体例として、通信端末２のユーザがアカウント連携テーブル６１において、「ユーザ名」を「ユーザＡ」として登録済みである場合にデータ連携サーバ６が該ユーザに関する計測結果を集約する動作について説明する。
【００８７】
データ連携サーバ６は、アカウント連携テーブル６１の中から「ユーザ名」が「ユーザＡ」であるレコードの「サービス１アカウント」の設定値「Ｓｅｒｖｉｃｅ１Ａｃｃｏｕｎｔ−Ｎ」を用いて計測結果テーブル５１から計測結果を取得する。すなわち、計測結果テーブル５１のレコードの中から、「アカウント」の値が「Ｓｅｒｖｉｃｅ１Ａｃｃｏｕｎｔ−Ｎ」であるレコードを取得する。データ連携サーバ６は同様にして、「サービス２アカウント」の設定値を用いて計測結果テーブル５２から計測結果を取得し、「サービス３アカウント」の設定値を用いて計測結果テーブル５３からレコードを取得する。
【００８８】
次に、データ連携サーバ６は計測結果テーブル５１〜５３のそれぞれから取得した計測結果のレコードについて計測結果集約テーブル６２の形式に併せて変換した後、該計測結果集約テーブル６２に新たなレコードとして蓄積する。すなわち、アカウント連携テーブル６１において「ユーザ名」が「ユーザＡ」であるレコードの「データ連携アカウント」の設定値を計測結果集約テーブル６２の「データ連携アカウント」に設定する。そして、計測結果の取得元を示す情報を対応する「サービス種別」に設定し、「計測値」に計測結果を設定する。例えば、計測結果テーブル５１の１行目のレコードは、計測結果集約テーブル６２の１３行目のレコードとして計測結果集約テーブル６２に蓄積される。
【００８９】
計測結果テーブル５１〜５３において１つのレコードに複数の計測結果が含まれていた場合は、１つのレコードに１つの計測結果のみ含まれるように、レコードが分割される。例えば、計測結果テーブル５１において「データ種別」が「血圧」であるレコードの「計測値」には最高血圧および最低血圧の２つがまとめて設定されている。このようなレコードは、２つのレコードとして計測結果集約テーブル６２に別箇に蓄積される。計測結果テーブル５３のように、１つのレコードに「睡眠時間（分）」、「平均呼吸数」、および「平均心拍数」という３つの計測結果が含まれている場合は、３つのレコードとして計測結果集約テーブル６２に別箇に蓄積される。このとき、計測結果集約テーブル６２において「データ種別」および「計測値」以外の項目には、同一の値が設定される。例えば、計測結果テーブル５３の１行目のレコードは、計測結果集約テーブル６２の１〜３行目のレコードとして計測結果集約テーブル６２に蓄積される。
【００９０】
図７に示したような構成を備えた計測結果集約テーブル６２に計測結果を集約することにより、データ連携サーバ６は例えば複数の「データ種別」の計測結果を組み合わせて通信端末２のユーザが生活習慣上で気を付けるべき点についてアドバイスを行う等の機能を提供できてもよい。
【００９１】
（計測データ可視化処理の流れ）
本実施形態に係る通信端末２が実行する計測データ可視化処理の流れについて、図８を用いて説明する。図８は、通信端末２が実行する計測データ可視化処理の流れの一例を示すフローチャートである。
【００９２】
まず、スリープ状態にある（Ｓ１）通信端末２がユーザに通知すべき情報を受信した場合（Ｓ２０でＹＥＳ）、処理は後述するＳ３へ進む。一方、ユーザに通知すべき情報を受信しなかった場合（Ｓ２０でＮＯ）、通信端末２は入力部２２にタッチ操作を受け付けたか否かを判定する（Ｓ２）。タッチ操作を受け付けたと判定した場合（Ｓ２でＹＥＳ）、通知画面生成部４２５は、スプラッシュ画面２２０または２２０Ａを生成する。その後、処理はＳ２１へ進む。一方、タッチ操作を受け付けなかったと判定した場合（Ｓ２でＮＯ）、処理はＳ２０へ進み、Ｓ２０およびＳ２の処理を再度実行する。
【００９３】
Ｓ２１において、通信端末２は受信済みである、ユーザに通知すべき情報が存在するか否かを判定する（Ｓ２１）。存在すると判定した場合（Ｓ２１でＹＥＳ）、通知画面生成部４２５は、スプラッシュ画面２２０または２２０Ａを生成する。その後、処理はＳ３へ進む。一方、存在しないと判定した場合（Ｓ２１でＮＯ）、処理は後述するＳ６へ進む。
【００９４】
Ｓ３において、出力制御部４２６は生成されたスプラッシュ画面２２０または２２０Ａについて、表示部２３に表示する（Ｓ３）。
【００９５】
Ｓ３でスプラッシュ画面２２０または２２０Ａが表示部２３に表示されている間、「閉じる」ボタンが押下されるか（Ｓ４でＹＥＳ）、所定の表示期間が経過すると（Ｓ５でＹＥＳ）、処理はＳ６へ進む。Ｓ２１でＮＯ、Ｓ４でＹＥＳ、およびＳ５でＹＥＳのいずれかの条件を満たすと、計測結果取得部４２１はデータ連携サーバ６から通信端末２のユーザに関する当日の計測結果を取得する（Ｓ６）。その後、計測結果画面生成部４２２は当日の計測結果から計測結果画面２３０Ａまたは計測結果画面２３０Ｂを生成する。出力制御部４２６はスプラッシュ画面２２０または２２０Ａを閉じるとともに、生成された計測結果画面２３０Ａまたは計測結果画面２３０Ｂを表示部２３に表示する（Ｓ７）。
【００９６】
Ｓ７の後、集約データ可視化制御部４２は、計測結果画面２３０Ａまたは計測結果画面２３０Ｂにおいてメニューバーの「結果の更新」が操作され、計測結果の更新指示を受け付けたか否かを判定する（Ｓ８）。更新指示を受け付けたと判定した場合（Ｓ８でＹＥＳ）、更新指示部４２７はデータ連携サーバ６に更新指示を送信し、該データ連携サーバ６に計測結果を集約させる（Ｓ９）。その後処理はＳ６へ進み、Ｓ６〜Ｓ８の処理を再度実行する。一方、更新指示を受け付けなかったと判定した場合（Ｓ８でＮＯ）、集約データ可視化制御部４２は計測結果画面２３０Ａまたは計測結果画面２３０Ｂにおいて「カレンダ」タブ２３３がタッチされたか否かを判定する（Ｓ１１）。タッチされたと判定した場合（Ｓ１１でＹＥＳ）、計測結果取得部４２１はデータ連携サーバ６から通信端末２のユーザに関する計測結果の履歴を取得する（Ｓ１２）。その後、カレンダ画面生成部４２３は計測結果の履歴から計測履歴（カレンダ）画面２５０、２５０Ａ、または２５０Ｂを生成する。出力制御部４２６は、生成された計測履歴（カレンダ）画面２５０、２５０Ａ、または２５０Ｂを表示部２３に表示する（Ｓ１３）。一方、Ｓ１１にて「カレンダ」タブ２３３がタッチされなかったと判定した場合、処理は後述するＳ２３へ進む。
【００９７】
Ｓ１３の後、集約データ可視化制御部４２は、計測履歴（カレンダ）画面２５０、２５０Ａ、または２５０Ｂにおいて表示月または表示日が選択されたか否かを判定する（Ｓ１４）。表示日が選択されたと判定した場合、カレンダ画面生成部４２３は選択された表示日に関する計測履歴（一日）画面２７０を生成する。そして出力制御部４２６は、生成された計測履歴（一日）画面２７０を表示中の計測履歴（カレンダ）画面２５０、２５０Ａ、または２５０Ｂの上に重畳表示する（Ｓ１５）。その後、計測履歴（一日）画面２７０に設けられた「閉じる」ボタンがタッチされると（Ｓ１６でＹＥＳ）、出力制御部４２６は計測履歴（一日）画面２７０を閉じた後（Ｓ１７）、処理はＳ１３へ進んで計測履歴（カレンダ）画面２５０、２５０Ａ、または２５０Ｂを再表示する。
【００９８】
Ｓ１４において表示月が選択された場合、カレンダ画面生成部４２３は選択された表示月の履歴を用いて計測履歴（カレンダ）画面２５０、２５０Ａ、または２５０Ｂを生成する。そして出力制御部４２６は、生成された計測履歴（カレンダ）画面２５０、２５０Ａ、または２５０Ｂを表示部２３に表示する（Ｓ１９）。その後、計測履歴（カレンダ）画面２５０、２５０Ａ、または２５０Ｂに設けられた「今日」タブ２３２がタッチされると（Ｓ２２でＹＥＳ）、処理はＳ６へ進み、Ｓ６〜Ｓ１４の処理を再度実行する。
【００９９】
Ｓ１４において何も選択されなかった場合、またはＳ１１において「カレンダ」タブ２３３がタッチされなかった場合（Ｓ１１でＮＯ）、集約データ可視化制御部４２は無操作の状態が所定期間経過したか否かを判定する（Ｓ２３）。無操作の状態が所定期間経過したと判定した場合（Ｓ２３でＹＥＳ）、集約データ可視化制御部４２は通信端末２をスリープ状態に移行する（Ｓ２４）。その後処理はＳ１へ移動し、一連の処理を繰り返す。
【０１００】
以上の処理によって、本実施形態に係る通信端末２は、管理元が異なる複数の計測機器１Ａ〜１Ｄを用いて計測された当日の計測結果を外部のデータ連携サーバ６から取得し、集約して一度に表示することができる。計測結果を集約してユーザに提示することができるので、ユーザが計測状況や計測結果について容易に把握できる、利便性に優れた通信端末２を提供することができるという効果を奏する。
【０１０１】
（計測タイミング通知処理の流れ）
本実施形態に係る通信端末２が実行する計測タイミング通知処理の流れについて、図９を用いて説明する。図９は、通信端末２が実行する計測タイミング通知処理の流れの一例を示すフローチャートである。なお、計測タイミング通知処理は通信端末２のユーザが意図的に実行させてもよいし、周期的に自動的に実行されるものであってもよい。
【０１０２】
まず、計測結果取得部４２１はデータ連携サーバ６から通信端末２のユーザに関する計測結果の履歴を取得する（Ｓ３１）。その後、タイミング設定部４２４は計測結果の履歴等を用いて、計測対象である複数の項目のデータ種別ごとに、計測に適したタイミングを設定する（Ｓ３２）。計測に適したタイミングとしては、前述したように複数の計測時刻の平均値や、ユーザの起床時刻から所定時間が経過した後の時刻を計測が設定されてもよい。また、通信端末２は、データ連携サーバ６を介してサービスサーバ５Ａ〜５Ｄのそれぞれにおける各ユーザの計測状況を取得し、未計測の項目が存在するユーザについてはユーザごとに異なる計測に適したタイミングを設定し、設定したタイミングにプッシュで計測を促すメッセージを通知してもよい。
【０１０３】
Ｓ３２の後、集約データ可視化制御部４２はＳ３２で設定したタイミングになったか否かを判定する（Ｓ３３）。設定したタイミングになったと判定すると（Ｓ３３でＹＥＳ）、通知画面生成部４２５は計測を促すためのポップアップ通知画面２８０または２８０Ａを生成する。そして出力制御部４２６は、生成されたポップアップ通知画面２８０または２８０Ａを表示部２３に表示する（Ｓ３４）。
【０１０４】
Ｓ３４でポップアップ通知画面２８０または２８０Ａが表示部２３に表示されている間、「閉じる」ボタンが押下されるか（Ｓ３５でＹＥＳ）、所定の表示期間が経過すると（Ｓ３６でＹＥＳ）、出力制御部４２６はポップアップ通知画面２８０または２８０Ａ（Ｓ３７）。その後、処理はＳ３３へ進み、Ｓ３２で設定した別のタイミングになるまで待機する。
【０１０５】
以上の処理によって、通信端末２は計測機器１Ａ〜１Ｄを用いた計測に適したタイミングでユーザに計測を促すことができる。これにより、通信端末２は、より正確な計測をユーザに行わせることができる。
【０１０６】
通知画面生成部４２５が生成するスプラッシュ画面２２０やポップアップ通知画面２８０によってユーザに通知される情報は前述の例に限らない。通知画面生成部４２５が生成する画面によって通知される情報の別の例について、図１０の各図を用いて説明する。図１０は、通信端末２においてサービスからの通知例を示す模式図であり、図１０の（ａ）はスプラッシュ画面２２０Ａにて通知する画面例を示し、図１０の（ｂ）はポップアップ通知画面２８０Ａにて通知する画面例を示す。図１０の（ａ）や図１０の（ｂ）に示すように、通知画面生成部４２５が生成する画面によって通知される情報は、例えば計測機器１Ａ〜１Ｄの管理元から通知された訪問のお知らせ等であってもよい。通信端末２のユーザは、例えばお知らせに基づいて訪問時刻に外出することなく訪問者を迎えることができる。前述の訪問のお知らせ以外の情報としては、例えば計測機器１Ａ〜１Ｄが電池切れであることの通知であってもよく、さらに電池交換や充電等を促すメッセージが通知されてもよい。また、通信障害の発生を検知した場合に通信設定の確認等をユーザに促すメッセージが通知されてもよい。
【０１０７】
〔実施形態２〕
本発明の実施形態２について、図１１を用いて説明する。図１１は、実施形態２に係る計測データ可視化システム１００の要部構成の一例を示すブロック図である。なお、説明の便宜上、前記実施形態１にて説明した部材と同じ機能を有する部材については、同じ符号を付与し、その説明を繰り返さない。
【０１０８】
実施形態２に係る計測データ可視化システム１００は、前記実施形態１において通信端末２で実行していた各種処理について、通信端末２とデータ連携サーバ６との間を中継する、新たな中継サーバ７が実行する点が異なっている。すなわち、前記実施形態１において通信端末２が備えていた、計測結果取得部４２１、計測結果画面生成部４２２、カレンダ画面生成部４２３、タイミング設定部４２４、通知画面生成部４２５、出力制御部４２６、および更新指示部４２７を中継サーバ７の各部を統括して制御する中継サーバ制御部７０が備えている構成である。
【０１０９】
中継サーバ７は、通信端末２が画面を表示するためのデータを生成して通信端末２に提供することにより、通信端末２に各種画面を表示させるサーバである。通信端末２は、Ｗｅｂブラウザを用いて中継サーバ７へアクセスし、画面を規定した画面データを該中継サーバ７から受信し、その画面データに従ってＷｅｂブラウザが各種画面を表示部２３に表示してもよい。また、通信端末２は、アプリケーションを用いて中継サーバ７へアクセスし、画面に含める計測結果を該中継サーバ７から受信し、その計測定結果に従ってアプリケーションが生成した各種画面を表示部２３に表示してもよい。なお、中継サーバ７はデータ連携サーバ６と一体に構成されてもよい。この場合、中継サーバ７に集約された計測結果は、図示しない記憶部に蓄積される。
【０１１０】
〔実施形態３〕
前記各実施形態では、１つのデータ連携サーバ６を用いる例を説明したが、データ連携サーバ６の有する各機能が、個別のサーバにて実現されていてもよい。そして、複数のサーバを適用する場合においては、各サーバは、同じ事業者によって管理されていてもよいし、異なる事業者によって管理されていてもよい。
【０１１１】
〔実施形態４〕
通信端末２の各ブロックは、集積回路（ＩＣチップ）等に形成された論理回路（ハードウェア）によって実現してもよいし、ソフトウェアによって実現してもよい。後者の場合、通信端末２のそれぞれを、図１２に示すようなコンピュータ（電子計算機）を用いて構成することができる。
【０１１２】
図１２は、通信端末２として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばプロセッサ（例えばＣＰＵ：Central Processing Unit等）、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０１１３】
補助記憶装置９１４には、コンピュータ９１０を通信端末２として動作させるための各種のプログラムが格納されている。そして、演算装置９１２は、補助記憶装置９１４に格納された前記プログラムを主記憶装置９１３上に展開して該プログラムに含まれる命令を実行することによって、コンピュータ９１０を、通信端末２が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。また、記録媒体に記録されているプログラムを、主記憶装置９１３上に展開することなく実行可能なコンピュータであれば、主記憶装置９１３を省略してもよい。なお、前記各装置（演算装置９１２、主記憶装置９１３、補助記憶装置９１４、入出力インターフェース９１５、通信インターフェース９１６、入力装置９２０、および出力装置９３０）は、それぞれ１つであってもよいし、複数であってもよい。
【０１１４】
また、前記プログラムは、コンピュータ９１０の外部から取得してもよく、この場合、任意の伝送媒体（通信ネットワークや放送波等）を介して取得してもよい。そして、本発明は、前記プログラムが電子的な伝送によって具現化された、搬送波に埋め込まれたデータ信号の形態でも実現され得る。
【０１１５】
〔変形例〕
前記各実施形態において、通知画面生成部４２５が計測を促す通知を含むポップアップ通知画面２８０等を生成するのは計測に適したタイミングになった場合であった。しかしながら、例えば「結果の更新」を操作してデータ連携サーバ６に計測結果の更新を行わせた後、計測結果取得部４２１が取得した更新後の計測結果に未計測の項目があった場合に計測を促す通知を含むポップアップ通知画面２８０等を生成してもよい。すなわち、通知画面生成部４２５は、計測結果画面２３０Ａ等の表示内容を更新した際に、未計測の項目があれば、ユーザに未計測の項目について計測を促す通知画面の画面データを生成してもよい。
【０１１６】
〔まとめ〕
本発明の態様１に係る通信端末は、ユーザの健康状態に関する複数の項目の計測結果を表示する通信端末であって、複数の計測機器にて計測された前記複数の項目の前記計測結果が、各計測機器に対応する複数の一次サーバによってそれぞれ取得され、前記複数の項目の前記計測結果を前記複数の一次サーバから取得して蓄積する二次サーバから、前記複数の項目の前記計測結果を取得する計測結果取得部と、前記計測結果取得部が取得した当日の複数の前記計測結果を、それぞれに対して表示領域が画定された画面に同時に表示する計測結果画面表示部と、を備えている構成である。
【０１１７】
前記の構成によれば、通信端末は複数の項目の当日の計測結果を二次サーバから取得し、１つの画面上に同時に表示することができる。複数の一次サーバに分散して蓄積される複数の計測結果を同時にユーザに提示することができるので、ユーザが計測状況や計測結果について容易に把握できる、利便性に優れた通信端末を提供することができるという効果を奏する。
【０１１８】
本発明の態様２に係る通信端末は、前記態様１において、前記計測結果画面表示部は、前記計測結果を、計測が実行された計測時刻とともに表示する構成としてもよい。前記の構成によれば、計測結果を計測時刻とともに表示することができる。これにより、各項目についてどのタイミングで計測された結果であるかを把握することができる。
【０１１９】
本発明の態様３に係る通信端末は、前記態様１または２において、前記計測結果画面表示部は、前記計測結果を、前記計測結果取得部が前記二次サーバから取得した時刻とともに表示する構成としてもよい。前記の構成によれば、計測結果を二次サーバから取得した時刻をユーザが把握することができる。
【０１２０】
本発明の態様４に係る通信端末は、前記態様１から３のいずれかにおいて、前記計測結果画面表示部は、前記複数の項目を、計測済みの項目  と未計測の項目とを異なる表示形式で表示する構成としてもよい。
【０１２１】
前記の構成によれば、通信端末は複数の項目の計測結果を表示する際、計測済みの項目と未計測の項目とを異なる表示形式で表示することができる。これにより、例えば一部の項目が未計測であれば、計測済みである他の項目と同様の表示とするよう、未計測の項目に対する計測について、ユーザに動機付けすることができる。
【０１２２】
本発明の態様５に係る通信端末は、前記態様１から４のいずれかにおいて、前記計測結果取得部は前記計測結果の履歴をさらに取得するものであり、取得した前記履歴について、計測日ごとにカレンダ状に表示するカレンダ画面表示部を、さらに備えている構成としてもよい。
【０１２３】
前記の構成によれば、通信端末はカレンダ状に履歴を表示することができる。これにより、ユーザに対してカレンダに抜けが生じないように継続的に計測するという動機付けをすることができる。
【０１２４】
本発明の態様６に係る通信端末は、前記態様５において、前記カレンダ画面表示部は、個々の前記計測日について前記当日の前記計測結果と同様の表示形式で表示する構成としてもよい。
【０１２５】
前記の構成によれば、通信端末はカレンダ状に履歴を表示する際、個々の計測日を当日の計測結果と同様の表示形式で表示することができる。これにより、ユーザは当日の計測結果がカレンダにどのように表示されるかを把握することができる。そのため、ユーザに対してカレンダに抜けが生じないように継続的に計測するという動機付けをすることができる。
【０１２６】
本発明の態様７に係る通信端末は、前記態様５または６において、前記カレンダ画面表示部は、個々の前記計測日について前記複数の項目のすべてが計測済みである日と未計測の項目が存在する日とを異なる表示形式で表示する構成としてもよい。
【０１２７】
前記の構成によれば、通信端末は計測結果の履歴をカレンダ状に表示する際、個々の計測日について複数の項目のすべてが計測済みである日と未計測の項目が存在する日とを異なる表示形式で表示することができる。これにより、例えばすべての項目について計測するようユーザに動機付けすることができる。
【０１２８】
本発明の態様８に係る通信端末は、前記態様１から７のいずれかにおいて、前記複数の項目について、計測に適したタイミングを設定するタイミング設定部と、前記タイミングでユーザに計測を促す通知を行う出力制御部と、をさらに備えている構成としてもよい。
【０１２９】
前記の構成によれば、通信端末は計測に適したタイミングでユーザに計測を促すことができる。これにより、通信端末は、より正確な計測をユーザに行わせることができる。
【０１３０】
本発明の態様９に係る通信端末は、前記態様８において、前記タイミング設定部は、前記計測結果の履歴における複数の計測時刻の平均値を前記タイミングとして設定する構成としてもよい。前記の構成によれば、通信端末は平均的な計測時刻にユーザに計測を促すことができる。
【０１３１】
本発明の態様１０に係る通信端末は、前記態様８において、前記複数の項目の前記計測結果は、前記ユーザの起床時刻を少なくとも含んでおり、前記タイミング設定部は、前記起床時刻から所定時間が経過した後の時刻を前記タイミングとして設定する構成としてもよい。前記の構成によれば、通信端末はユーザの起床時刻から所定時間が経過すると該ユーザに計測を促すことができる。
【０１３２】
本発明の態様１１に係る通信端末は、前記態様８から１０のいずれかにおいて、当日の前記計測結果を前記複数の前記一次サーバから取得して蓄積するよう前記二次サーバに更新指示を送信する更新指示部をさらに備えており、前記更新指示部の指示に基づいて前記二次サーバが当日の前記計測結果を更新した後、前記計測結果取得部が該二次サーバから取得した更新後の前記計測結果に未計測の項目があった場合、前記出力制御部はユーザに未計測の項目について計測を促す通知を行う構成としてもよい。前記の構成によれば、通信端末は当日の計測結果の更新後に未計測の項目があればユーザに計測を促すことができる。
【０１３３】
本発明の態様１２に係るサーバは、ユーザの健康状態に関する複数の項目の計測結果を通信端末に表示させるサーバであって、複数の計測機器にて計測された前記複数の項目の前記計測結果が、各計測機器に対応する複数の一次サーバによってそれぞれ取得され、前記複数の項目の前記計測結果を前記複数の一次サーバから取得して蓄積する二次サーバから、前記複数の項目の前記計測結果を取得する計測結果取得部と、前記計測結果取得部が取得した当日の複数の前記計測結果を、それぞれに対して表示領域が画定された前記通信端末の画面に同時に表示させる計測結果画面表示部と、を備えている構成である。
【０１３４】
前記の構成によれば、サーバは複数の項目の当日の計測結果を通信端末の画面上に同時に表示させることができる。複数の一次サーバに分散して蓄積される複数の計測結果を同時にユーザに提示することができるので、ユーザが計測状況や計測結果について容易に把握できる、利便性に優れたサーバを提供することができるという効果を奏する。
【０１３５】
本発明の態様１３に係るサーバは、前記態様１２において、前記二次サーバとして前記複数の項目の前記計測結果を前記複数の一次サーバから取得して蓄積する構成としてもよい。前記の構成によれば、計測結果の集約と画面の表示とを同一のサーバで実行させることができる。
【０１３６】
本発明の態様１４に係る計測データ可視化システムは、前記態様１から１１のいずれかの通信端末と、複数の計測機器と、各計測機器に対応する複数の一次サーバと、二次サーバと、を備えている、構成としてもよい。
【０１３７】
前記の構成によれば、計測データ可視化システムは複数の項目の当日の計測結果を通信端末の画面上に同時に表示させることができる。複数の一次サーバに分散して蓄積される複数の計測結果を同時にユーザに提示することができるので、ユーザが計測状況や計測結果について容易に把握できる、利便性に優れた計測データ可視化システムを提供することができるという効果を奏する。
【０１３８】
本発明の各態様に係る通信端末２は、コンピュータによって実現してもよく、この場合には、コンピュータを前記通信端末２が備える各部（ソフトウェア要素）として動作させることにより前記通信端末２をコンピュータにて実現させる通信端末２の制御プログラム、およびそれを記録したコンピュータ読み取り可能な記録媒体も、本発明の範疇に入る。
【０１３９】
本発明は前述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１４０】
１００  計測データ可視化システム
１Ａ、１Ｂ、１Ｃ、１Ｄ  計測機器
３  ゲートウェイ
４  ルータ
５Ａ、５Ｂ、５Ｃ、５Ｄ  サービスサーバ
６  データ連携サーバ
７  中継サーバ（サーバ）
２  通信端末
２１  通信部
２２  入力部
２３  表示部
２４  スピーカ
３０  記憶部
３１Ａ、３１Ｂ  結果送信アプリ
３２  集約データ可視化アプリ
４０  制御部
４１  結果送信制御部
４２  集約データ可視化制御部
４２１  計測結果取得部
４２２  計測結果画面生成部
４２３  カレンダ画面生成部
４２４  タイミング設定部
４２５  通知画面生成部
４２６  出力制御部
４２７  更新指示部
【図１】
2020046962.tif 000003
【図２】
2020046962.tif 000004
【図３】
2020046962.tif 000005
【図４】
2020046962.tif 000006
【図５】
2020046962.tif 000007
【図６】
2020046962.tif 000008
【図７】
2020046962.tif 000009
【図８】
2020046962.tif 000010
【図９】
2020046962.tif 000011
【図１０】
2020046962.tif 000012
【図１１】
2020046962.tif 000013
【図１２】
2020046962.tif 000014